(57)【要約】【課題】本発明は、マイクロカプセル磁気泳動表示シートの表面に表示された文字を完全に消去できるイレーザーを提供する。【解決手段】利用者によって把持されるケースと、該ケースの底面に形成された凹部に回転可能に取付けられたボールと、前記ケースの凹部に取付けられ、マイクロカプセル磁気泳動表示シートの表面に対して並行に３６０度回転する回転機構と、前記ケースの凹部に前記ボールの回転に従って回転し、前記回転機構に取付けられた磁石と、を備え、前記ボールの回転に従って前記磁石が回転すると共に、前記ボールの回転方向の変化に従って前記磁石の回転方向が変化する。これにより、バッテリーを使用しない方法でマイクロカプセルに作用させる磁力線を変化させ、マイクロカプセル磁気泳動表示シートの表面に表示された文字を完全に消去できる。【選択図】図１
2019124774.tif 000002
【特許請求の範囲】
【請求項１】
利用者によって把持されるケースと、
該ケースの底面に形成された凹部に回転可能に取付けられたボールと、
前記ケースの凹部に取付けられ、マイクロカプセル磁気泳動表示シートの表面に対して並行に３６０度回転する回転機構と、
前記ケースの凹部に前記ボールの回転に従って回転し、前記回転機構に取付けられた磁石と、を備え、
前記ボールの回転に従って前記磁石が回転すると共に、前記ボールの回転方向の変化に従って前記磁石の回転方向が変化する事を特徴とするイレーザー。
【請求項２】
前記回転機構は、前記ケースの凹部を形成する天面に回転可能に取付けられている事を特徴とする請求項１に記載のイレーザー。
【請求項３】
前記磁石は、円柱形状の磁石からなり、円周上で磁極が異なるように磁化されている事を特徴とする請求項１に記載のイレーザー。
【請求項４】
前記磁石の円柱形状をなす直径の長さが、前記ボールの中点を通る直径の長さに比べて短い事を特徴とする請求項３に記載のイレーザー。
【発明の詳細な説明】
【技術分野】
【０００１】
本発明は、マイクロカプセル磁気泳動表示シートの表面に表示された文字を表面から消去可能なイレーザーに関する。
【背景技術】
【０００２】
従来からマイクロカプセル磁気泳動表示シートの表面に表示された文字を表面から消去できるイレーザーは知られている。例えば、特許文献１には、マイクロカプセル磁気泳動表示シートと磁石との間にクリアランスを設けるために磁石に非磁性体を配置し、磁石を固定して磁力線を変化させないイレーザーが開示されている。このイレーザーの磁石の磁力線が、マイクロカプセル磁気泳動表示シート内のマイクロカプセルに水平に作用させることができる。これにより、表面側に集まったマイクロカプセル内の黒色の磁性粒子を泳動させ、分散させ、白色顔料の非磁性粒子を表面に多く集めることで、表面に表示された文字を消去させることができる。
【０００３】
また、特許文献２には、筐体内部にモータと磁石とを備え、磁石を回転可能にして磁力線を変化させるイレーザーが開示されている。
【先行技術文献】
【特許文献】
【０００４】
【特許文献１】特開２００８−１２２９８９号公報
【特許文献２】特許第６２１３８８６号公報
【発明の概要】
【発明が解決しようとする課題】
【０００５】
しかしながら、特許文献１のイレーザーは、水平の磁力線のみをマイクロカプセルに作用させるには、クリアランスを大きく取る必要があり、マイクロカプセルと磁石とのクリアランスが大きくなればなるほど、マイクロカプセルに作用させる磁力線が弱まり、表面に表示された文字を完全に消去できない事があった。
【０００６】
また、引用文献２のイレーザーは、モータを駆動するためにバッテリーを必要とし、使用したいときにバッテリー切れで使用できない事があった。
【０００７】
また、本出願人は、モータ及びバッテリーを使用しない方法でマイクロカプセルに作用させる磁力線を変化させることで黒色の磁性粒子を大きく泳動させることを見出した。
【０００８】
本発明は、モータ及びバッテリーを使用せずに、マイクロカプセル磁気泳動表示シートの表面に表示された文字を完全に消去できるイレーザーを提供する事を目的とする。
【課題を解決するための手段】
【０００９】
上記目的を達成するために、請求項１に記載の発明に係るイレーザーは、利用者によって把持されるケースと、該ケースの底面に形成された凹部に回転可能に取付けられたボールと、前記ケースの凹部に取付けられ、マイクロカプセル磁気泳動表示シートの表面に対して並行に３６０度回転する回転機構と、前記ケースの凹部に前記ボールの回転に従って回転し、前記回転機構に取付けられた磁石と、を備え、前記ボールの回転に従って前記磁石が回転すると共に、前記ボールの回転方向の変化に従って前記磁石の回転方向が変化する。
【００１０】
請求項２に記載の発明に係るイレーザーにおいて、前記回転機構は、前記ケースの凹部を形成する天面に回転可能に取付けられている。
【００１１】
請求項３に記載の発明に係るイレーザーにおいて、前記磁石は、円柱形状の磁石からなり、円周上で磁極が異なるように磁化されている。
【００１２】
請求項４に記載の発明に係るイレーザーにおいて、前記磁石の円柱形状をなす直径の長さが、前記ボールの中点を通る直径の長さに比べて短い。
【発明の効果】
【００１３】
本発明によれば、ケースは、利用者によって把持される。ボールは、該ケースの底面に形成された凹部に回転可能に取付けられる。回転機構は、前記ケースの凹部に取付けられ、マイクロカプセル磁気泳動表示シートの表面に対して並行に３６０度回転する。磁石は、前記ケースの凹部に前記ボールの回転に従って回転し、前記回転機構に取付けられる。前記ボールの回転に従って前記磁石が回転すると共に、前記ボールの回転方向の変化に従って前記磁石の回転方向が変化する。この結果、モータ及びバッテリーを使用せずに、マイクロカプセル磁気泳動表示シートの表面に表示された文字を完全に消去できる。
【図面の簡単な説明】
【００１４】
【図１】本発明の実施形態に係るイレーザーの全体形状図である。
【図２】本実施形態に係るイレーザーの図１のＡ−Ａ断面図である。
【図３】本実施形態における回転機構を示す図である。
【図４】本実施形態に係るイレーザーの図１のＢ−Ｂ断面図であり上方向に摺動した状態を示す図である。
【図５】本実施形態に係るイレーザーの図１のＢ−Ｂ断面図であり右斜め上方向に摺動した状態を示す図である。
【発明を実施するための形態】
【００１５】
本発明のイレーザーに係る実施形態について、図面を参照して説明する。
【００１６】
［実施形態］
本発明の実施形態に係るイレーザーについて、説明する。イレーザーを説明するために、図１に示す矢印Yの上方向を「上」及び下方向を「下」と、矢印Xの左方向を「左」及び右方向を「右」と、表現して説明する。
【００１７】
図１に示すように、イレーザーは、ケース１とボール２とを備え、ボール２が備えられた下側の面が、マイクロカプセル磁気泳動表示シートの表示面に配置される。このケース１を利用者が手で掴み、表示面に記載された文字等を消去するために、ボール２の回転によりイレーザーを摺動させる。
【００１８】
図２は、図１のＡ−Ａ断面図であり、図２を用いて、イレーザーを詳細に説明する。
【００１９】
イレーザーは、ケース１と、ボール２と、底面蓋３と、回転機構４と、磁石５と、を備える。
【００２０】
ケース１は、プラスチック等の非磁性材料である材質から形成されており、筐体を兼ねている。ケース１の上の部分は、利用者が手で持つ部分であり、利用者が握りやすい形状が望ましい。ケース１の下側に位置する底面には、開口を有する凹部が形成されている。この凹部を形成する４つの側面及び天面のうち、天面には回転機構４が回転可能に取付けられている。
【００２１】
ボール２は、球形状を有し、表面が滑りにくい材質で形成されている。
【００２２】
底面蓋３は、プラスチック等の非磁性材料である材質から形成されており、ケース１の凹部の開口を塞ぐ大きさを有している。また底面蓋３の中央には、ボール２の中点を通る直径の長さに比べ、短い直径の円形の貫通孔が形成されている。底面蓋３により、ボール２がケース１の凹部内に保持され、円形の貫通孔からボール２の一部が露出する。
【００２３】
回転機構４は、プラスチック等の非磁性材料である材質から形成されている。回転機構４は、図３に示すように、凹部を形成する天面に上側の端部が回転可能に取付けられる回転支持軸４１と、この回転支持軸４１の下側の端部から下側方向かつ拡径方向に形成された２本の脚４２と、この脚４２の端部に磁石を囲う回転枠４３と、回転枠から内側方向に突出した２つの磁石支持軸４４と、を備える。天面に回転支持軸４１が回転可能に取付けられていることにより、磁石支持軸４４に取付けられた磁石５がマイクロカプセル磁気泳動表示シートの表面に対して並行に３６０度回転する事ができる。
【００２４】
磁石５は、円柱形状の磁石で、円周上で磁極が異なるように磁化されている。この磁石５は、回転機構４の磁石支持軸４４によって、回転可能に取付けられている。また、磁石５の円周上の表面は、ボール２の球面と接触し、ボール２の回転に従って磁石５も回転する。これにより、ボール２の回転に従って、磁石５が回転し、マイクロカプセル磁気泳動表示シートに面する磁石５の磁極が、Ｎ極からＳ極を経てＮ極へと変化し、マイクロカプセルに作用させる磁力線を変化させることができる。
【００２５】
さらに磁石５の円柱形状をなす直径の長さが、ボール2の中点を通る直径の長さに比べて短い。これにより、ボール２が１回転する間に、磁石５が１回転よりも多く回転する事が可能となり、マイクロカプセルに作用させる磁力線をより多く変化させることができる。
【００２６】
＜本実施形態の使用形態＞
次に、本実施形態の使用形態について、図４及び図５を用いて説明する。本使用形態は、イレーザーの摺動方向を変化させたときの使用形態である。  
【００２７】
利用者が、マイクロカプセル磁気泳動表示シートに記載された文字のうち、消したい文字の部分に、本実施形態のイレーザーを配置し、消したい文字の表示面上を、ボール２の回転により摺動させる。図４に示すように、利用者が上方向にイレーザーを摺動させると、ボール２が上方向に回転し、そのボール２の回転に従って、磁石５が回転する。これにより、磁石５が回転すると、マイクロカプセル磁気泳動表示シートに面する磁石５の磁極が、N極からS極を経てN極へと変化し、磁力線を変化させることができる。
【００２８】
次に、図５に示すように、利用者が右斜め上方向にイレーザーを摺動させると、右斜め上方向にボール２の回転方向が変化し、そのボール２の回転方向の変化に従って、右斜め上方向に磁石５の回転方向が変化する。
【００２９】
＜本実施形態の効果＞
本実施形態によれば、モータ等で駆動させる必要がないために、バッテリーが不要となる事から、利用者は使用したいときにバッテリー切れ等を気にする事なく、本発明のイレーザーを使用する事ができる
【００３０】
本実施形態によれば、ボール２の回転に従って、磁石が回転するとともに、ボール２の回転方向の変化に対応して磁石の回転方向が変化する。これにより、利用者がイレーザーを摺動する方向に磁石の回転方向が変化するため、利用者が摺動方向に束縛されず、自由にイレーザーを摺動する事ができる。
【００３１】
本実施形態によれば、磁石５の円柱形状をなす直径の長さが、ボール2の中点を通る直径の長さに比べて短い。これにより、ボール２が１回転する間に、磁石５が１回転よりも多く回転する事が可能となり、マイクロカプセル磁気泳動表示シートのマイクロカプセル内の磁性粒子に、磁力線の変化を多く与える事が可能となる。マイクロカプセル内の磁性粒子に、磁力線の変化を多く与える事で、マイクロカプセル内で磁性粒子の動きが活発となり、表面から遠ざかる方向に磁性粒子が動き、消去性を高めることができる。
【００３２】
本発明の実施形態について以上説明したが、本発明の趣旨を逸脱しない範囲において、当業者であれば種々の変更を加える事ができる。
【００３３】
（変形例１）
本実施形態において、磁石５の円柱形状をなす直径の長さが、ボール2の中点を通る直径の長さに比べて短い。この実施形態に代えて、磁石５の円柱形状をなす直径の長さが、ボール２の中点を通る直径の長さと同一であっても良い。
【００３４】
（変形例２）
本実施形態において、磁石５は１つ備える。この実施形態に代えて、磁石の数は幾つでも良く、複数の磁石で構成しても良い。
【００３５】
（変形例３）
本実施形態において、磁石５は、円柱形状の磁石で、円周上で磁極が異なるように磁化されている。この実施形態に代えて、磁石５の形状は、直方体、棒状、角柱形状等、どのような形状であっても良い。この場合、ボール２の回転に従って磁石が回転するように、磁石を内蔵した円柱形状のローラーを備える。ボール２の回転に従って、ローラーが回転し、ローラーに内蔵した磁石も回転することで同様の効果が得られる。
【符号の説明】
【００３６】
１・・・ケース、２・・・ボール、３・・・底面蓋、４・・・回転機構、４１・・・回転支持軸、４２・・・脚、４３・・・回転枠、４４・・・磁石支持軸、５・・・磁石
【図１】
2019124774.tif 000003
【図２】
2019124774.tif 000004
【図３】
2019124774.tif 000005
【図４】
2019124774.tif 000006
【図５】
2019124774.tif 000007